(57)【特許請求の範囲】
【請求項１】
１以上の項目の同期元となるマスター電子機器と、前記１以上の項目の同期先となる１以上のスレーブ電子機器とを含み、
前記マスター電子機器は、
ユーザーの役割ごとに前記１以上の項目それぞれに対するアクセス権を定めたアクセス権テーブルおよび同じ前記役割を持つ１以上のユーザーごとに前記１以上の項目それぞれについて同期するか否かを定めた同期設定テーブルを記憶した記憶部と、
前記マスター電子機器にログインした前記ユーザーに対し、前記アクセス権テーブルに基づき、前記１以上の項目のうちアクセスを許可する項目に対するアクセス権を付与する認証処理部と、
前記アクセス権が付与された項目を、ログインした前記ユーザーが設定内容の変更可能な項目として、当該ユーザーに提示する同期管理部と、
前記ユーザーに提示された前記項目の内容が変更されたとき、前記同期設定テーブルに基づいて、内容が変更された前記１以上の項目のうち、ログインした前記ユーザーに対応付けて同期すると定められた項目について、前記マスター電子機器と前記１以上のスレーブ電子機器との間で前記変更内容を同期させる要求を前記１以上のスレーブ電子機器に送る第１の同期処理部と
を備え、
前記スレーブ電子機器それぞれは、
前記マスター電子機器から前記要求を受け取ると、前記要求に含まれる前記変更内容を当該スレーブ電子機器に設定する第２の同期処理部
を備える機器設定システム。
【請求項２】
請求項１に記載の機器設定システムであって、
前記スレーブ電子機器は、
前記スレーブ電子機器にログインした前記ユーザーに対し、前記アクセス権テーブルに基づき、前記１以上の項目のうちアクセスを許可する項目に対するアクセス権を付与する第２の認証処理部と、
前記スレーブ電子機器にログインしたユーザーがアクセス権限を持っている項目のうち、前記同期設定テーブルにおいて、前記スレーブ電子機器にログインした前記ユーザーに対応付けて同期しないと定められた項目をユーザーに提示する第２の同期管理部とを備え、
前記第２の同期処理部は、
前記ユーザーに提示された前記項目の内容が変更されたとき、前記変更内容を当該スレーブ電子機器に設定する
機器設定システム。
【請求項３】
請求項２に記載の機器設定システムであって、
前記スレーブ電子機器は、
前記同期設定テーブルを記憶する第２の記憶部を備え、
前記第２の同期管理部は、前記第２の記憶部から前記同期設定テーブルを取得する
機器設定システム。
【請求項４】
ユーザーの役割ごとに、１以上の項目の同期先となる１以上のスレーブ電子機器と同期させる前記１以上の項目それぞれに対するアクセス権を定めたアクセス権テーブルおよび同じ前記役割を持つ１以上のユーザーごとに前記１以上の項目それぞれについて同期するか否かを定めた同期設定テーブルを記憶した記憶部と、
マスター電子機器である自機器にログインした前記ユーザーに対し、前記アクセス権テーブルに基づき、前記１以上の項目のうちアクセスを許可する項目に対するアクセス権を付与する認証処理部と、
前記アクセス権が付与された項目を、ログインした前記ユーザーが設定内容の変更可能な項目として、当該ユーザーに提示する同期管理部と、
前記ユーザーに提示された前記項目の内容が変更されたとき、前記同期設定テーブルに基づいて、内容が変更された前記１以上の項目のうち、前記自機器にログインした前記ユーザーに対応付けて同期すると定められた項目について、前記自機器と前記１以上のスレーブ電子機器との間で前記変更内容を同期させる要求を前記１以上のスレーブ電子機器に送る第１の同期処理部と
を備える
電子機器。
【請求項５】
ユーザーの役割ごとに、１以上の項目の同期先となる１以上のスレーブ電子機器と同期させる前記１以上の項目それぞれに対するアクセス権を定めたアクセス権テーブルおよび同じ前記役割を持つ１以上のユーザーごとに前記１以上の項目それぞれについて同期するか否かを定めた同期設定テーブルを記憶し、
マスター電子機器である自機器にログインした前記ユーザーに対し、前記アクセス権テーブルに基づき、前記１以上の項目のうちアクセスを許可する項目に対するアクセス権を付与し、
前記アクセス権が付与された項目を、ログインした前記ユーザーが設定内容の変更可能な項目として、当該ユーザーに提示し、
前記ユーザーに提示された前記項目の内容が変更されたとき、前記同期設定テーブルに基づいて、内容が変更された前記１以上の項目のうち、前記自機器にログインした前記ユーザーに対応付けて同期すると定められた項目について、前記自機器と前記１以上のスレーブ電子機器との間で前記変更内容を同期させる要求を前記１以上のスレーブ電子機器に送る
手順をコンピューターに実行させる機器設定プログラム。
【発明の詳細な説明】
【技術分野】
【０００１】
本発明は、マスターとスレーブの間で情報を同期する機器設定システム、電子機器、および機器設定プログラムに関する。
【背景技術】
【０００２】
オフィス等に複数の電子機器が設置されている場合、管理者やユーザーの利便性を高めるために、それらの電子機器間で保持している情報を同期することが行われてきた。
【０００３】
例えば、特許文献１において開示されている技術では、ネットワーク上で最初に設置されたプリンターをマスタープリンターとする。２台目以降に設置されるプリンターは、設置されるとマスタープリンターを検索し、マスタープリンターを発見すると自らはスレーブプリンターとなり、マスタープリンターからネットワーク上のプリンターに共通する設定を取得して設定を行う。
【０００４】
また、特許文献２において開示されている技術では、ネットワーク上に複数ある画像形成装置をマスター／スレーブの関係とする。自装置の持つデータを他の画像形成装置と同期したい画像形成装置は、マスターの地位を獲得した後、スレーブの地位にある画像形成装置に対してデータを送信しデータの同期を行わせる。
【０００５】
また、特許文献３の技術では、ネットワーク上に設置された複数の事務機器をグループ分けし、同じクループ内では、同一のグループＩＤ（ユーザー設定情報識別子）を保持している。そして、データの同期を行う場合、グループＩＤが同じであれば同期を行う事として、グループ内だけでのデータの同期を可能にしている。
【先行技術文献】
【特許文献】
【０００６】
【特許文献１】特開平１１−１６１４４１号公報
【特許文献２】特開１００５−１９９８２号公報
【特許文献３】特開１００６−１５５１３号公報
【発明の概要】
【発明が解決しようとする課題】
【０００７】
上記３つの特許文献に開示された技術を用いると、ネットワーク上に設置された電子機器間で、電子機器が保持している設定情報を同期させ、共有することが出来る。
【０００８】
しかし、ユーザーにより電子機器に設定された情報のうち、どの情報を同期させるかは、ユーザーにより異なるものであるが、上記の技術では、電子機器に設定された情報を一律に同期させることしか出来ず、ユーザーごとに同期させる情報を制御することは出来なかった。
【０００９】
以上のような事情に鑑み、本発明の目的は、ユーザーごとまたはユーザーの役割ごとに同期させる情報を制御できる機器設定システム、電子機器、および機器設定プログラムを提供することにある。
【課題を解決するための手段】
【００１０】
上記目的を達成するため、本発明の一形態に係る機器設定システムは、１以上の項目の同期元となるマスター電子機器と、前記１以上の項目の同期先となる１以上のスレーブ電子機器とを含み、前記マスター電子機器は、ユーザーの役割ごとに前記１以上の項目それぞれに対するアクセス権を定めたアクセス権テーブルを記憶した記憶部と、前記マスター電子機器にログインした前記ユーザーに対し、前記アクセス権テーブルに基づき、前記１以上の項目のうちアクセスを許可する項目に対するアクセス権を付与する認証処理部と、前記アクセス権が付与された項目を、ログインした前記ユーザーが設定内容の変更可能な項目として、当該ユーザーに提示する同期管理部と、前記ユーザーに提示された前記項目の内容が変更されたとき、前記変更内容を含んだ、前記マスター電子機器と前記１以上のスレーブ電子機器との間で前記変更内容を同期させる要求を前記１以上のスレーブ電子機器に送る第１の同期処理部とを備え、前記スレーブ電子機器それぞれは、前記マスター電子機器から前記要求を受け取ると、前記要求に含まれる前記変更内容を当該スレーブ電子機器に設定する第２の同期処理部を備える。そのため、ユーザーの役割ごとに同期させる情報を制御できる。
【００１１】
上記目的を達成するため、本発明の一形態に係る機器設定システムでは、前記マスター電子機器の記憶部は、同じ前記役割を持つ１以上のユーザーごとに前記１以上の項目それぞれについて同期するか否かを定めた同期設定テーブルをさらに記憶し、前記第１の同期処理部は、前記同期設定テーブルに基づいて、内容が変更された前記１以上の項目のうち、同期すると定められた項目について、前記要求を前記１以上のスレーブ電子機器に送る構成でもよい。
【００１２】
上記目的を達成するため、本発明の一形態に係る電子機器は、ユーザーの役割ごとに、１以上の項目の同期先となる１以上のスレーブ電子機器と同期させる前記１以上の項目それぞれに対するアクセス権を定めたアクセス権テーブルを記憶した記憶部と、当該機器にログインした前記ユーザーに対し、前記アクセス権テーブルに基づき、前記１以上の項目のうちアクセスを許可する項目に対するアクセス権を付与する認証処理部と、前記アクセス権が付与された項目を、ログインした前記ユーザーが設定内容の変更可能な項目として、当該ユーザーに提示する同期管理部と、前記ユーザーに提示された前記項目の内容が変更されたとき、前記変更内容を含んだ、当該機器と前記１以上のスレーブ電子機器との間で前記変更内容を同期させる要求を前記１以上のスレーブ電子機器に送る第１の同期処理部とを備える。
【００１３】
上記目的を達成するため、本発明の一形態に係る機器設定プログラムは、ユーザーの役割ごとに、１以上の項目の同期先となる１以上のスレーブ電子機器と同期させる前記１以上の項目それぞれに対するアクセス権を定めたアクセス権テーブルを記憶し、当該機器にログインした前記ユーザーに対し、前記アクセス権テーブルに基づき、前記１以上の項目のうちアクセスを許可する項目に対するアクセス権を付与し、前記アクセス権が付与された項目を、ログインした前記ユーザーが設定内容の変更可能な項目として、当該ユーザーに提示し、前記ユーザーに提示された前記項目の内容が変更されたとき、前記変更内容を含んだ、当該機器と前記１以上のスレーブ電子機器との間で前記変更内容を同期させる要求を前記１以上のスレーブ電子機器に送る手順をコンピューターに実行させる。
【発明の効果】
【００１４】
以上のように、本発明によれば、ユーザーごとまたはユーザーの役割ごとに同期させる情報を制御することが出来る。
【図面の簡単な説明】
【００１５】
【図１】本発明の一実施形態に係る画像形成装置１０の構成を概略的に示す構成図である。
【図２】アクセス権テーブル１９ａの具体例を示す図である。
【図３】同期設定テーブル１９ｂの具体例を示す図である。
【図４】同期処理を行う際に、マスターＭＦＰで行われる処理について説明するためのフローチャートである。
【図５】同期処理を行う際に、スレーブＭＦＰで行われる処理について説明するためのフローチャートである。
【図６】スレーブＭＦＰにおいて内容を変更可能な項目に対し、値の設定を行う際の処理について説明するためのフローチャートである。
【発明を実施するための形態】
【００１６】
以下、図面を参照しながら、本発明の実施形態を説明する。なお、以下の説明では、同期元であるマスターおよび同期先であるスレーブとして同期処理を行う電子機器の例として、画像形成装置（ＭＦＰ、Multifunction Peripheral）を挙げて説明する。
【００１７】
［画像形成装置の構成］
最初に、本発明の一実施形態に係る画像形成装置の構成を説明する。図１は、本発明の一実施形態に係る画像形成装置１０の構成を概略的に示す構成図である。
【００１８】
画像形成装置１０は、制御部１１を備える。制御部１１は、ＣＰＵ（Central Processing Unit）、ＲＡＭ（Random Access Memory）、ＲＯＭ（Read Only Memory）、および専用のハードウェア回路等から構成され、画像形成装置１０の全体的な動作制御を司る。
【００１９】
制御部１１は、原稿読取部１２、画像処理部１３、画像メモリー１４、画像形成部１５、操作部１６、ファクシミリ通信部１７、ネットワークインターフェイス部１８、記憶部１９等と接続されている。制御部１１は、接続されている上記各部の動作制御や、各部との間での信号又はデータの送受信を行う。
【００２０】
制御部１１は、ユーザーから、操作部１６またはネッワーク接続されたＰＣ（Personal Computer）等を通じて入力されるジョブの実行指示に従って、スキャナー機能、印刷機能、コピー機能、およびファクシミリ送受信機能などの各機能についての動作制御を実行するために必要な機構の駆動及び処理を制御する。
【００２１】
また、制御部１１は、認証／認可処理部１１ａ、同期管理部１１ｂ、および同期処理部（マスター側：第１の同期処理部、スレーブ側：第２の同期処理部）１１ｃを有している。認証／認可処理部１１ａ、同期管理部１１ｂ、および同期処理部１１ｃは、ＲＯＭや記憶部１９などからＲＡＭにロードされたプログラムがＣＰＵにより実行されることで実現される機能ブロックである。
【００２２】
認証／認可処理部１１ａは、操作部１６を操作して画像形成装置１０を使用するユーザー（操作者）を認証したり、ネットワーク経由でジョブの実行を要求するユーザーを認証したりする。なお、ネットワーク経由でのユーザーとは、操作者に限らず、ネットワーク上の他の機器であってもよい。
【００２３】
なお、認証／認可処理部１１ａは、認証したユーザーに対して、予め定められたアクセスレベルに応じて、アクセス権を付与する。ここで言うアクセス権とは、例えば、同期を行う項目ごとに、その項目に対し、同期させるか否かを設定できる権限である。
【００２４】
同期管理部１１ｂは、記憶部１９に記憶された、後述するアクセス権テーブル１９ａ、同期設定テーブル１９ｂ、および同期対象機器テーブル１９ｃに基づいて、マスターおよびスレーブとなる画像形成装置１０間での情報の同期を管理する。
【００２５】
例えば、同期管理部１１ｂは、マスターである画像形成装置１０において同期対象である項目について内容の変更を監視し、変更があった場合は、同期対象の画像形成装置１０に対して変更内容を通知する。
【００２６】
同期処理部１１ｃは、同期管理部１１ｂにおいて、同期すべきであると判断された項目の内容について、実際の情報の同期処理を実行する。
【００２７】
原稿読取部１２は、原稿から画像を読み取る。
【００２８】
画像処理部１３は、原稿読取部１２で読み取られた画像の画像データを必要に応じて画像処理する。例えば、画像処理部１３は、原稿読取部１２により読み取られた画像が画像形成された後の品質を向上させるために、シェーディング補正等の画像処理を行う。
【００２９】
画像メモリー１４は、原稿読取部１２による読み取りで得られた原稿画像のデータを一時的に記憶したり、画像形成部１５での印刷対象となるデータを一時的に記憶したりする領域である。
【００３０】
画像形成部１５は、原稿読取部１２で読み取られた画像データ等の画像形成を行う。
【００３１】
操作部１６は、画像形成装置１０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部１６ａを備えている。
【００３２】
ファクシミリ通信部１７は、図示しない符号化／復号化部、変復調部、およびＮＣＵ（Network Control Unit）を備え、公衆電話回線網を用いてのファクシミリの送信を行う。
【００３３】
ネットワークインターフェイス部１８は、ＬＡＮボード等の通信モジュールから構成され、ネットワークインターフェイス部１８に接続されたＬＡＮ等を介して、ローカルエリア内にある他の画像形成装置１０や他の電子機器（ＰＣ等）と種々のデータを送受信する。
【００３４】
記憶部１９は、原稿読取部１２によって読み取られた原稿画像等を記憶したり、アクセス権テーブル１９ａ、同期設定テーブル１９ｂ、同期対象機器テーブル１９ｃ、機器設定情報１９ｄ、およびユーザー情報１９ｅを記憶したりする。記憶部１９は、ＨＤＤ（Hard Disk Drive）やフラッシュメモリーなどの大容量の記憶装置である。なお、アクセス権テーブル１９ａおよび同期設定テーブル１９ｂの詳細については後述する。
【００３５】
同期対象機器テーブル１９ｃには、マスターとなる画像形成装置１０の場合、情報の同期先であるスレーブとなる画像形成装置１０のネットワークアドレス等の一覧が格納される。スレーブとなる画像形成装置１０の場合、同期元であるマスターとなる画像形成装置１０のネットワークアドレス等が格納される。
【００３６】
機器設定情報１９ｄは、画像形成装置１０ごとに設定される情報であり、複数の画像形成装置１０間で同期により共有することが出来る情報である。機器設定情報１９ｄについては、アクセス権テーブル１９ａの説明の際に、具体例を挙げる。なお、特定の画像形成装置１０が、マスターであるかスレーブであるかの区別は、同期される情報ではないが、機器設定情報１９ｄの一部として記憶される。
【００３７】
ユーザー情報１９ｅは、画像形成装置１０のユーザーに関する情報であり、ユーザー共通の情報と、ユーザー個別の情報とがある。ユーザー情報１９ｅについては、アクセス権テーブル１９ａの説明の際に、具体例を挙げる。なお、各ユーザーが画像形成装置１０を利用するためログインする際の認証処理に用いるアカウント名およびパスワードもユーザー情報１９ｅとして記憶される。
【００３８】
以上、画像形成装置１０の構成について説明した。
【００３９】
［アクセス権テーブルについて］
次に、アクセス権テーブル１９ａの詳細について説明する。図２は、アクセス権テーブル１９ａの具体例を示す図である。
【００４０】
アクセス権テーブル１９ａは、例えば、同期するか否かを設定可能な設定項目ＳＩと、ユーザーの役割毎に定められたアクセスレベルＡＬとのマトリックスとして定義され、どの役割のユーザーであれば、どの項目の同期可否設定を行う事が可能かを示すものである。
【００４１】
設定項目ＳＩは、大きく、機器設定情報１９ｄとユーザー情報１９ｅとに分けられる。
【００４２】
機器設定情報１９ｄとは、例えば、デフォルトとして定められている排紙先のトレイの位置（デフォルト排紙先）や、デフォルトとして定められている給紙元のトレイの位置（デフォルト給紙元）、省エネルギーのための設定（省エネ設定）、画像形成装置１０が使用される地域のタイムゾーン（タイムゾーン）、画像形成装置１０に設定する日付および時間（日付／時間）、故障時の連絡先（サービス連絡先）、ログの取得および記憶に関する設定（ログ機能設定）、画像形成装置１０の仕向け地（仕向け地）、オプションとして提供される機能をユーザーが試用する際の試用期間や試用回数の設定（オプション機能試用設定）などである。
【００４３】
ユーザー情報１９ｅは、特定の画像形成装置１０に登録されている全てのユーザーに共通して同期するか否かが設定される項目と、各ユーザー別に同期するか否かが設定される項目とがある。
【００４４】
全てのユーザーに共通して同期するか否かが設定される項目は、例えば、ユーザーが画像形成装置１０にログインする際に用いるアカウント名（ユーザーアカウント情報）およびパスワード（認証／認可情報）、部門毎の処理枚数などに関する情報（部門管理情報）、全てのユーザーが共通して使用するアドレス情報（ユーザー共通アドレス帳）などである。
【００４５】
各ユーザー別に同期するか否かが設定される項目は、例えば、ユーザーが画像形成装置１０に読み込ませた情報などを記憶しておく領域（ユーザーＢＯＸ）、各ユーザー固有のアドレス帳（ユーザー別アドレス帳）、ユーザー毎に操作部１６に表示する言語やアイコンに関するカスタマイズ情報（マイパネル）などである。
【００４６】
また、アクセスレベルとしては、例えば、画像形成装置１０の設計者のレベル、製造ラインで働くスタッフのレベル、サービスを提供するスタッフのレベル、ユーザー企業において画像形成装置１０の管理を行う管理者のレベル、画像形成装置１０を利用する一般ユーザーのレベルなどがある。
【００４７】
アクセス権テーブル１９ａの見方としては、例えば、設計者は画像形成装置１０を設計する立場にあるので、全ての項目に関し、同期するか否かの設定を行うことが出来る。
【００４８】
また、製造ラインでは、例えばマスターとなる１台の画像形成装置１０から、スレーブとした他の画像形成装置１０に対して機器設定情報をコピーする作業が行えるように、機器設定情報１９ｄのすべての項目に対して同期するか否かの設定を行うことが出来る。
【００４９】
管理者は、例えば大量のデータが格納される可能性の高いユーザーＢＯＸについて、同期時にネットワークリソースを大量に消費する可能性を減らすために、ユーザーＢＯＸ全てについて、同期させないように設定することが出来る。また、管理者は、セキュリティ上の観点から、ユーザーが個別に持っているアドレス帳を同期させないように設定することも出来る。
【００５０】
一般ユーザーの場合、各ユーザー別に同期するか否かが設定される項目のみ、同期するか否かの設定を行うことが出来る。
【００５１】
以上、アクセス権テーブル１９ａの詳細について説明した。
【００５２】
［同期設定テーブルについて］
上述したアクセス権テーブル１９ａでは、ユーザーの役割ごとに同期処理が行える項目を定義していた。これに対し、ここでは、同期処理が行える項目それぞれについて、実際に同期処理を行うか否かが設定される同期設定テーブル１９ｂについて説明する。図３は、同期設定テーブル１９ｂの具体例を示す図である。
【００５３】
この例では、一般ユーザーＡ、Ｂ、およびＣごとに、「マイパネル」、「ユーザー別アドレス帳」、および「ユーザーＢＯＸ」について、同期するか否かの設定がなされている。
【００５４】
例えば、一般ユーザーＡは、自分の「マイパネル」、「ユーザー別アドレス帳」、および「ユーザーＢＯＸ」についてのみ、同期するか否かの設定をすることが出来、ここでは「マイパネル」に関する情報のみ、スレーブとなる画像形成装置１０と同期する設定となっている。
【００５５】
以上、同期設定テーブル１９ｂについて説明した。
【００５６】
［処理の流れ］
次に、画像形成装置１０における処理の流れを説明する。なお、説明は、同期処理を行う際に、マスターとなる画像形成装置１０での処理、スレーブとなる画像形成装置１０での処理、そして、スレーブとなる画像形成装置１０において設定項目の内容を変更する際の処理に分けて説明する。
【００５７】
なお、以下の説明では、マスターとなる画像形成装置１０をマスターＭＦＰと呼び、スレーブとなる画像形成装置１０をスレーブＭＦＰと呼ぶ。
【００５８】
（マスター側での同期処理）
まず、同期処理を行う際に、マスターＭＦＰで行われる処理について説明する。図４は、同期処理を行う際に、マスターＭＦＰで行われる処理について説明するためのフローチャートである。
【００５９】
まず、操作者であるユーザーがマスターＭＦＰに対しログインを試みる（ステップＳ１）。
【００６０】
次に、認証／認可処理部１１ａが、前ステップで試みられたログインが適切なログインであるか不正なログインであるかを判断する（ステップＳ２）。
【００６１】
ログインが不正なログインである場合（ステップＳ２のＮｏ）、認証／認可処理部１１ａはログインを許可しないで同期処理を終了する。
【００６２】
ログインが適切なログインである場合（ステップＳ２のＹｅｓ）、認証／認可処理部１１ａは、ログインしたユーザーに対し、アクセス権テーブル１９ａに基づいて、適切なアクセス権を付与する（ステップＳ３）。
【００６３】
次に、同期管理部１１ｂが、ログインしたユーザーに付与されたアクセス権の範囲で、同期するか否かの設定が可能な項目を、表示部１６ａまたはネットワークインターフェイス部１８を介してユーザーに提示する（ステップＳ４）。
【００６４】
次に、同期管理部１１ｂが、操作部１６またはネットワークインターフェイス部１８を介して提示した項目の内容に関する設定変更を受け付ける（ステップＳ５）。
【００６５】
次に、同期処理部１１ｃが、同期する項目に関して設定変更が行われたか否かを判断する（ステップＳ６）。
【００６６】
同期する項目に関して設定変更が行われなかった場合（ステップＳ６のＮｏ）、同期処理部１１ｃは、同期処理を終了する。
【００６７】
同期する項目に関して設定変更が行われた場合（ステップＳ６のＹｅｓ）、同期処理部１１ｃは、同期対象機器テーブル１９ｃに基づいて、スレーブＭＦＰにログインを試みる（ステップＳ７）。なお、ステップＳ７でログインする際には、同期処理を行うための専用アカウントを用いてログインを試みてもよい。
【００６８】
次に、同期処理部１１ｃは、ログインが成功したか否かを判断する（ステップＳ８）。
【００６９】
ログインに失敗した場合（ステップＳ８のＮｏ）、同期処理部１１ｃは、その旨を同期処理の結果としてユーザーに通知する（ステップＳ１２）。
【００７０】
ログインに成功した場合（ステップＳ８のＹｅｓ）、同期処理部１１ｃは、同期先のスレーブＭＦＰに対し、設定要求を送信する（ステップＳ９）。
【００７１】
次に、同期処理部１１ｃは、設定要求を送信したスレーブＭＦＰから設定結果を受信する（ステップＳ１０）。
【００７２】
次に、同期処理部１１ｃは、スレーブＭＦＰからログアウトする（ステップＳ１１）。
【００７３】
次に、同期処理部１１ｃは、同期処理の結果をユーザーに通知する（ステップＳ１２）。
【００７４】
以上が、同期処理を行う際に、マスターＭＦＰで行われる処理である。なお、ステップＳ７からステップＳ１１までの、スレーブＭＦＰに対して行う処理は、同期対象機器テーブル１９ｃに登録してあるスレーブＭＦＰの数だけ繰り返し行われる。
【００７５】
（スレーブ側での同期処理）
次に、同期処理を行う際に、スレーブＭＦＰで行われる処理について説明する。図５は、同期処理を行う際に、スレーブＭＦＰで行われる処理について説明するためのフローチャートである。
【００７６】
まず、認証／認可処理部１１ａが、マスターＭＦＰからの認証要求が来たか否かを判断する（ステップＳ２０）。
【００７７】
マスターＭＦＰから認証要求が来ていない場合（ステップＳ２０のＮｏ）、認証／認可処理部１１ａは同期処理を終了する。
【００７８】
マスターＭＦＰから認証要求が来た場合（ステップＳ２０のＹｅｓ）、認証／認可処理部１１ａは、マスターＭＦＰからのログインの試みを受け付ける（ステップＳ２１）。
【００７９】
次に、認証／認可処理部１１ａは、前ステップにおけるログインの試みが成功したか否かを判断する（ステップＳ２２）。
【００８０】
ログインに失敗した場合（ステップＳ２２のＮｏ）、認証／認可処理部１１ａは、マスターＭＦＰに対しエラーを通知する（ステップＳ２７）。
【００８１】
ログインに成功した場合（ステップＳ２２のＹｅｓ）、同期処理部１１ｃが、マスターＭＦＰからの設定変更の要求をネットワークインターフェイス部１８経由で受信する（ステップＳ２３）。
【００８２】
次に、同期処理部１１ｃが、受信した設定要求に基づき、設定すべき項目の内容を変更する（ステップＳ２４）。
【００８３】
次に、同期処理部１１ｃが、設定結果をネットワークインターフェイス部１８経由でマスターＭＦＰに送信する（ステップＳ２５）。
【００８４】
次に、認証／認可処理部１１ａがログアウト処理を行う（ステップＳ２６）。
【００８５】
以上が、同期処理を行う際に、スレーブＭＦＰで行われる処理である。
【００８６】
（スレーブ側での設定処理）
次に、スレーブＭＦＰにおいて内容を変更可能な項目に対し、値の設定を行う際の処理について説明する。図６は、スレーブＭＦＰにおいて内容を変更可能な項目に対し、値の設定を行う際の処理について説明するためのフローチャートである。
【００８７】
なお、本実施形態では、説明を簡潔にするため、マスターＭＦＰとスレーブＭＦＰの間で同期可能な項目については、マスターＭＦＰ側でのみ設定変更が許可されるものとし、スレーブＭＦＰ側においては、マスターＭＦＰと同期しない項目のみ設定の変更が可能であるとする。
【００８８】
まず、操作者であるユーザーがスレーブＭＦＰへのログインを試みる（ステップＳ３０）。
【００８９】
次に、認証／認可処理部１１ａが、前ステップで試みられたログインが適切なログインであるか不正なログインであるかを判断する（ステップＳ３１）。
【００９０】
ログインが不正なログインである場合（ステップＳ３１のＮｏ）、認証／認可処理部１１ａはログインを許可しないで設定処理を終了する。
【００９１】
ログインが適切なログインである場合（ステップＳ３１のＹｅｓ）、認証／認可処理部１１ａは、ログインしたユーザーに対し、アクセス権テーブル１９ａに基づいて、適切なアクセス権を付与する（ステップＳ３２）。
【００９２】
次に、同期管理部１１ｂが、どの項目が同期する設定になっているかを判断するために、同期設定テーブル１９ｂをマスターＭＦＰから取得する（ステップＳ３３）。なお、ここでは、本ステップにおいて同期設定テーブル１９ｂをマスターＭＦＰから取得する構成としたが、これに限らず、何らかの項目を同期する際に、同期設定テーブル１９ｂも内容を同期させる構成でもよく、その場合、本ステップでは同期設定テーブル１９ｂをマスターＭＦＰからではなく、自装置の記憶部１９から取得する。
【００９３】
次に、同期管理部１１ｂは、ログインしたユーザーがアクセス権限を持っている項目のうち、同期設定テーブル１９ｂにおいて同期しない設定となっている項目をユーザーに提示する（ステップＳ３４）。
【００９４】
次に、ユーザーが、提示された項目のうち、設定を変更する項目を選択し、選択した項目の設定内容を変更する（ステップＳ３５）。
【００９５】
次に、ユーザーはログアウトを指示し、認証／認可処理部１１ａが、ログアウト処理を行う（ステップＳ３６）。
【００９６】
以上が、スレーブＭＦＰにおいて内容を変更可能な項目に対し、値の設定を行う際の処理である。
【００９７】
以上、画像形成装置１０における処理の流れを説明した。
【００９８】
［補足事項］
その他、本発明は、上述の実施形態にのみ限定されるものではなく、本発明の要旨を逸脱しない範囲内において種々変更を加え得ることは勿論である。
【符号の説明】
【００９９】
１０  …  画像形成装置
１１  …  制御部
１１ａ…  認証／認可処理部
１１ｂ…  同期管理部
１１ｃ…  同期処理部
１２  …  原稿読取部
１３  …  画像処理部
１４  …  画像メモリー
１５  …  画像形成部
１６  …  操作部
１７  …  ファクシミリ通信部
１８  …  ネットワークインターフェイス部
１９  …  記憶部
１９ａ…  アクセス権テーブル
１９ｂ…  同期設定テーブル
１９ｃ…  同期対象機器テーブル
１９ｄ…  機器設定情報
１９ｅ…  ユーザー情報
【図１】
0006256300.tif 000002
【図２】
0006256300.tif 000003
【図３】
0006256300.tif 000004
【図４】
0006256300.tif 000005
【図５】
0006256300.tif 000006
【図６】
0006256300.tif 000007